【手続補正書】
【提出日】平成28年2月3日(2016.2.3)
【手続補正１】
【補正対象書類名】明細書
【補正対象項目名】００２３
【補正方法】変更
【補正の内容】
【００２３】
負荷３ａ，３ｂ夫々はヘッドライト又はワイパー等の電気機器である。負荷３ａは、制御装置１が電線４ａに流れる電流の供給を行った場合、バッテリ２によって給電されて作動し、制御装置１が電線４ａに流れる電流の遮断を行った場合、バッテリ２から給電されずに停止する。負荷３ｂも、負荷３ａと同様に、制御装置１が電線４ｂに流れる電流の供給を行った場合に給電されて作動し、制御装置１が電線４ｂに流れる電流の遮断を行った場合に給電されずに停止する。
【手続補正２】
【補正対象書類名】明細書
【補正対象項目名】００２８
【補正方法】変更
【補正の内容】
【００２８】
制御回路５３ａには、マイコン１４から、電線４ａに流れる電流の遮断を指示する遮断指示、又は、電線４ａに流れる電流の供給を指示する供給指示が入力される。制御回路５３ａは、マイコン１４から供給指示が入力された場合、ＦＥＴ５１ａをオンにし、電線４ａに流れる電流の供給を行い、負荷３ａを作動させる。また、制御回路５３ａは、マイコン１４から遮断指示が入力された場合、ＦＥＴ５１ａをオフにし、電線４ａに流れる電流を遮断し、負荷３ａを停止させる。
【手続補正３】
【補正対象書類名】明細書
【補正対象項目名】００３０
【補正方法】変更
【補正の内容】
【００３０】
また、制御回路５３ａは、自らの判断で電線４ａに流れる電流を遮断している状態で、所定の条件、例えば、電線４ａの近傍の温度を検出する図示しない温度センサが検出した温度が所定温度未満であることを満たした場合、マイコン１４から入力される供給指示又は遮断指示に従って、ＦＥＴ５１ａをオン／オフする。このとき、制御回路５３ａは、自らの判断で行っていた電流の遮断を解除したことを示す解除信号をマイコン１４に出力する。更に、制御回路５３ａが自らの判断で電線４ａに流れる電流を遮断している状態で、マイコン１４から制御回路５３ａに遮断指示が入力された場合も、制御回路５３ａが電流を遮断している状態が解除される。
【手続補正４】
【補正対象書類名】明細書
【補正対象項目名】００３６
【補正方法】変更
【補正の内容】
【００３６】
更に、制御回路５３ｂは、制御回路５３ｂが自らの判断で電線４ｂに流れる電流を遮断している状態で、所定の条件を満たした場合、マイコン１４から入力される供給指示又は遮断指示に従って、ＦＥＴ５１ｂをオン／オフする。このとき、制御回路５３ｂは、電線４ｂについての解除信号をマイコン１４に出力する。また、制御回路５３ｂは、制御回路５３ｂが自らの判断で電線４ｂに流れる電流を遮断している状態で、マイコン１４から制御回路５３ｂに遮断指示が入力された場合も、制御回路５３ｂが電流を遮断している状態が解除される。
なお、制御装置１は、ＡＤ変換回路１２ａと同様に、ＡＤ変換回路１２ｂがマイコン１４に内蔵される構成であってもよい。この場合、ＡＤ変換回路１２ｂは、電流値データをマイコン１４の入力部６１に出力する。
【手続補正５】
【補正対象書類名】明細書
【補正対象項目名】００４８
【補正方法】変更
【補正の内容】
【００４８】
制御部６４は、入力部６１から取得した電線４ａの周囲温度及び電線４ａの電流値を用いて、電線４ａの温度と周囲温度との温度差を経時的に算出する。同様に、制御部６４は、入力部６１から取得した電線４ｂの周囲温度及び電線４ｂの電流値を用いて、電線４ｂの温度と周囲温度との温度差を経時的に算出する。制御部６４は算出手段として機能する。制御部６４は、電線４ａ，４ｂ夫々について算出した温度差を記憶部６３に記憶する。
【手続補正６】
【補正対象書類名】明細書
【補正対象項目名】００５３
【補正方法】変更
【補正の内容】
【００５３】
制御部６４は、（２）式に前回算出した温度差ΔＴ１と、入力部６１から取得した周囲温度Ｔａとを代入することによって、電線抵抗Ｒ１を算出する。更に、制御部６４は、算出した電線抵抗Ｒ１と、前回算出した温度差ΔＴ１と、入力部６１から取得した電流値とを（１）式に代入することによって温度差を算出する。制御部６４は、算出した温度差を、入力部６１から取得した周囲温度Ｔａに加えることによって電線４ａ，４ｂ夫々の温度を算出する。
なお、初回の温度差の算出では、記憶部６３に予め記憶してある温度差、例えばゼロをΔＴ１に代入する。制御装置１は、後述するように、停止状態から負荷制御状態に遷移し、休止状態から負荷制御状態に遷移する。前述した初回の温度差の算出には、制御装置１が停止状態から負荷制御状態に遷移した後に最初に行う温度差の算出と、休止状態から負荷制御状態に遷移した後に最初に行う温度差の算出とが含まれる。
【手続補正７】
【補正対象書類名】明細書
【補正対象項目名】００５９
【補正方法】変更
【補正の内容】
【００５９】
制御部６４は、電線４ａ，４ｂ夫々について、算出した温度が所定の閾値Ｔｔｈ以上であるか否か、ＩＰＤ１１ａ（又はＩＰＤ１１ｂ）が自らの判断で電線４ａ（又は電線４ｂ）に流れる電流を遮断しているか否か、及び、算出した温度差が所定の閾値ΔＴｔｈ未満であるか否か等を判定する。制御部６４は、これらの判定結果に応じて、供給指示又は遮断指示を出力部６２に出力させる。
閾値Ｔｔｈ及び閾値ΔＴｔｈは予め記憶部６３に記憶されている。閾値Ｔｔｈは第１閾値に該当し、閾値ΔＴｔｈは第２閾値に該当する。
【手続補正８】
【補正対象書類名】明細書
【補正対象項目名】００７３
【補正方法】変更
【補正の内容】
【００７３】
なお、ＩＰＤ１１ａが自らの判断で遮断を実施しているか否かの判定は、入力部６１に遮断信号が入力されたか否かに基づいて行われなくてもよい。例えば、制御部６４は、出力部６２に供給指示を出力させた後、入力部６１から電線４ａに流れる電流の値を取得し、取得した電流値がゼロであるか否かに基づいてＩＰＤ１１ａが遮断を実施しているか否かを判定してもよい。このとき、制御部６４は、入力部６１から取得した電流値がゼロである場合、ＩＰＤ１１ａが遮断を実施していると判定し、入力部６１から取得した電流値がゼロでない場合、ＩＰＤ１１ａが遮断を実施していないと判定する。
【手続補正９】
【補正対象書類名】明細書
【補正対象項目名】００７４
【補正方法】変更
【補正の内容】
【００７４】
制御部６４は、ＩＰＤ１１ａが遮断を実施していると判定した場合（Ｓ１２：ＹＥＳ）、温度差の演算に用いる演算式を（１）式及び（２）式から（３）式に切り替え（ステップＳ１３）、休止禁止フラグを１に設定する（ステップＳ１４）。このとき、制御装置１の状態は、図２に示すように、負荷制御状態から自己遮断状態へ遷移している。制御部６４は、ステップＳ１４を実行した後、処理を自己遮断状態の処理へ移行し（ステップＳ１５）、制御装置１が負荷制御状態である場合における処理を終了する。
【手続補正１０】
【補正対象書類名】明細書
【補正対象項目名】００８６
【補正方法】変更
【補正の内容】
【００８６】
制御部６４は、まず、電線４ａに流れる電流を遮断している期間を計時するため、変数ＣＮＴを定数Ｃｐに設定し（ステップＳ３１）、変数Ｔをゼロに設定する（ステップＳ３２）。次に、制御部６４は、入力部６１に入力されている作動／停止指示が電線４ａについて停止を指示しているか否かを判定する（ステップＳ３３）。制御部６４は、停止を指示していると判定した場合（Ｓ３３：ＹＥＳ）、制御装置１が負荷遮断状態となってから作動／停止指示が少なくとも１度、電線４ａについて停止を指示したとして変数Ｔを１に設定する（ステップＳ３４）。
【手続補正１１】
【補正対象書類名】明細書
【補正対象項目名】００９３
【補正方法】変更
【補正の内容】
【００９３】
制御部６４は、温度差が閾値ΔＴｔｈ未満であると判定した場合（Ｓ４２：ＹＥＳ）、又は、変数ＣＮＴがゼロであると判定した場合（Ｓ４３：ＹＥＳ）、休止禁止フラグをゼロに設定する（ステップＳ４４）。そして、制御部６４は、処理を負荷制御状態の処理へ移行し（ステップＳ４５）、制御装置１が負荷遮断状態である場合における処理を終了する。その後、制御部６４は、前述したように、作動／停止指示が電線４ａについて作動を指示しているか、又は、停止を指示しているかに基づいて、出力部６２に供給指示又は遮断指示を出力させ、電線４ａに流れる電流の供給／遮断を行う。制御装置１の状態は、図２に示すように、負荷遮断状態から負荷制御状態へ遷移する。
【手続補正１２】
【補正対象書類名】明細書
【補正対象項目名】００９５
【補正方法】変更
【補正の内容】
【００９５】
図７及び図８は、制御装置１が自己遮断状態である場合に制御部６４が実行する動作の手順を示すフローチャートである。制御部６４の処理が自己遮断状態の処理に移行した場合、電線４ａの温度と電線４ａの周囲温度との温度差を算出するための演算式は（３）式に切替えられている。
【手続補正１３】
【補正対象書類名】明細書
【補正対象項目名】０１１０
【補正方法】変更
【補正の内容】
【０１１０】
また、制御装置１が電流の供給／遮断を行う電線の本数は２本に限定されず、１本、又は、３本以上であってもよい。電流の供給／遮断を行う電線が電線４ａだけである場合では、制御部６４は、制御装置１が負荷制御状態であるとき、ステップＳ２６を実行した後、ステップＳ２８を実行する。制御部６４は、電線４ａについて、算出した温度差が閾値ΔＴｔｈ未満であるか、又は、変数ＣＮＴがゼロである場合に休止禁止フラグがゼロとなり、電線４ａの温度の算出を休止する。